(57)【要約】【課題】従来技術では、複数機器での画像転送において、送信するデータが中間処理されている旨をどのように受信側に通知するのか、付加情報をどのように受信側に送信するのかについては考慮されていない。【解決手段】映像情報に画像処理を行う画像処理部と、画像処理部で画像処理された映像情報を含む信号を表示装置へ出力する出力部と、表示装置から表示装置の能力に関する情報を読み出す読出部とを有する映像処理装置であって、読出部で読み出す表示装置の能力に関する情報には、表示装置が映像情報に対して行う画像処理に関する情報が含まれるように構成する。【選択図】  図１
2012065057.tif 000002
【特許請求の範囲】
【請求項１】
映像情報に画像処理を行う画像処理部と、
前記画像処理部で画像処理された映像情報を含む信号を表示装置へ出力する出力部と、
前記表示装置から当該表示装置の能力に関する情報を読み出す読出部とを有する映像処理装置であって、
前記読出部で読み出す前記表示装置の能力に関する情報には、当該表示装置が映像情報に対して行う画像処理に関する情報が含まれることを特徴とする映像処理装置。
【請求項２】
請求項１の映像処理装置であって、
前記画像処理部は、前記読出部で読み出した前記表示装置の能力に関する情報に含まれる画像処理に関する情報が示す画像処理を行わないことを特徴とする映像処理装置。
【請求項３】
映像処理装置から送信された映像情報を受信する受信部と、
前記受信部で受信した映像情報に対して画像処理を行う画像処理部と、
前記画像処理部で画像処理された映像情報を表示する表示部とを有する表示装置であって、
前記表示装置の能力を示す情報を記録する記録部を有し、
前記記録部に記録されている表示装置の能力を示す情報には、前記画像処理部で行われる画像処理に関する情報が含まれることを特徴とする表示装置。
【請求項４】
映像情報に画像処理を行うステップと、
前記画像処理された映像情報を含む信号を表示装置へ出力するステップと、
前記表示装置から当該表示装置の能力に関する情報を読み出すステップとを有する映像処理方法であって、
前記表示装置の能力に関する情報には、当該表示装置が映像情報に対して行う画像処理に関する情報が含まれることを特徴とする映像処理方法。
【請求項５】
請求項４の映像処理方法であって、
前記読み出した前記表示装置の能力に関する情報に含まれる画像処理に関する情報が示す画像処理は行わないことを特徴とする映像処理方法。
【発明の詳細な説明】
【技術分野】
【０００１】
技術分野は、映像信号の伝送に関する。
【背景技術】
【０００２】
特許文献１には、「中間調処理された画データが更に平滑化処理されてしまうことを無くし、印字画像の品質が劣化することを防止することができる送信装置及び受信装置を提供すること」（特許文献１［０００７］参照）を課題とし、その解決手段として「画データを中間調処理して送信する送信装置において、画データの送信時に、その送信画データが中間調処理されている旨を受信側に対して報知する報知手段を設けた」（特許文献１［０００８］参照）ことが開示されている。
【０００３】
また、特許文献２には、「情報を受信しながらも、既に記録済みの部分情報に対して迅速なアクセス、読み出しが可能な映像／音声情報通信方法を提供すること」（特許文献２［０００５］参照）を課題とし、その解決手段として「映像／音声情報としては、各メディアの内容自身を持つ内容情報と、それら内容情報に関わる付加情報を持ち、送信側は特定または不特定の受信装置に対して、一連の前記映像／音声情報および付加情報を送信し、受信側では、通信路に流れている情報を選択して受信するためのフィルタ条件、受信情報に対する蓄積、加工、表示処理方法の処理条件をあらかじめ設定しておき、送信側から送信された一連の該映像／音声情報に対して、その付加情報を調べることにより、前記あらかじめ設定された処理条件によるフィルタリングを行って、蓄積すべき内容情報を選択し、受信した映像／音声情報に対してさらに付加情報を調べ、前記あらかじめ設定しておいた処理条件により定まる処理方法によって該映像／音声受信情報のうち内容情報を蓄積、加工、表示し、利用者による制御により該蓄積情報を対話的に読み出し、加工、表示する」（特許文献２［０００６］参照）ことが開示されている。
【先行技術文献】
【特許文献】
【０００４】
【特許文献１】特開平７−１３１６５４
【特許文献２】特開平６−２９１８５９
【発明の概要】
【発明が解決しようとする課題】
【０００５】
しかし、いずれの特許文献においても、送信するデータが中間処理されている旨をどのように受信側に通知するのか、付加情報をどのように受信側に送信するのかについては考慮されていない。
【課題を解決するための手段】
【０００６】
上記課題を解決するために、例えば特許請求の範囲に記載の構成を採用する。
【０００７】
本願は上記課題を解決する手段を複数含んでいるが、その一例を挙げるならば、映像情報に画像処理を行う画像処理部と、画像処理部で画像処理された映像情報を含む信号を表示装置へ出力する出力部と、表示装置から表示装置の能力に関する情報を読み出す読出部とを有する映像処理装置であって、読出部で読み出す表示装置の能力に関する情報には、表示装置が映像情報に対して行う画像処理に関する情報が含まれることを特徴とする。
【発明の効果】
【０００８】
上記手段によれば、表示装置においてより良い画質の映像をユーザに提示することが可能となり、ユーザにとっての使い勝手が向上する。
【図面の簡単な説明】
【０００９】
【図１】実施例の概要の一例を示す図である。
【図２】実施例における機器Ａの構成の一例を示す図である。
【図３】実施例におけるディスプレイ装置の構成の一例を示す図である。
【図４】実施例における画像処理部の一例を示す図である。
【図５】実施例で用いられる情報の一例を示す図である。
【図６】実施例で用いられる情報の定義の一例を示す図である。
【図７】実施例における機器Ａの構成の一例を示す図である。
【図８】実施例におけるディスプレイ装置の構成の一例を示す図である。
【図９】実施例で用いられる情報の一例を示す図である。
【図１０】実施例におけるディスプレイ装置の表示の一例を示す図である。
【図１１】実施例における機器Ａの構成の一例を示す図である。
【図１２】実施例におけるディスプレイ装置の構成の一例を示す図である。
【図１３】実施例における処理の一例を示す図である。
【図１４】実施例における処理の一例を示す図である。
【図１５】実施例における処理の一例を示す図である。
【図１６】実施例における処理の一例を示す図である。
【図１７】実施例で用いられる情報の定義の一例を示す図である。
【発明を実施するための形態】
【００１０】
以下、実施例について説明する。以下の実施例において、３Ｄとは３次元を、２Ｄとは２次元を意味する。例えば３Ｄ映像とは、左右の眼に視差のある映像を提示することにより、観察者があるオブジェクトを立体的に、自分と同じ空間に存在するかのように知覚することを可能とする映像を意味する。また、例えば３Ｄ表示装置とは、３Ｄ映像を表示することが可能な表示装置である。また、例えば３Ｄコンテンツとは、３Ｄ表示装置による処理で３Ｄ映像の表示が可能となる映像信号を含むコンテンツである。
【実施例１】
【００１１】
図１に本実施例の概念を示す。本実施例では、複数機器にわたって画像を伝送して、表示する場合に、必要以上に高画質化の為の画像処理を施さない手段を提供する。図１では、機器Ａ１０１から画像を転送して、ディスプレイ装置１０２のディスプレイ部１０５に表示する場合に、機器Ａと、ディスプレイ装置で重複して画像処理部（１０３と１０４）を有するが、重複して画像処理を施すと画質の劣化を招く恐れがあるので、片方の画像処理装置のみ、または、双方を適切な配分で画像処理を実施することで高画質化を図る。
【００１２】
図２に、機器Ａのブロック図を示す。機器Ａは、地デジやデジタル放送を受信し、復調する放送Ｉ／Ｆ２０１と、ＤＶＤ（「Digital Versatile Disc」の略。）やＢＤ（「Blu-ray Disc」の略。「Blu-ray」は登録商標。）などのディスク記録媒体からのデータ読み出しを行うディスクＩ／Ｆ部２０２と、ＳＤカードなどのメモリからデータを読み出すメモリＩ／Ｆ部２０３と、インターネットやＬＡＮなどからデータを読み出すＬＡＮ Ｉ／Ｆ２０４と、入力されたＡＶストリームをトランスコードしてＨＤＤなどの記録媒体部２０６（リムーバブル記録媒体にデータを記録するドライブであってもよい）に記憶するトランスコード部２０５と、ＡＶストリームに含まれる圧縮された映像情報を伸張する画像伸張部２０７と、ＨＤＭＩ（「High Definition Multimedia Interface」の略。登録商標。）などの画像伝送を受信するＨＤＭＩ ＲＸ部２０８と、その伝送データを解析するＨＤＭＩ ＲＸ Ｉ／Ｆ部２０９と、全体制御部２１０からの指示により高画質化処理を行う画像処理部２１１と、画像処理部から受け取った画像と全体制御部からの制御情報を元に、その画像をＨＤＭＩなどの画像伝送の規格に準拠したデータ作成を行うＨＤＭＩ ＴＸ Ｉ／Ｆ部２１２と、実際に伝送を行うＨＤＭＩ ＴＸ部２１３を有する。
【００１３】
図３に、ディスプレイ装置のブロック図を示す。ディスプレイ装置は、ＨＤＭＩなどの画像伝送で転送されて来た情報を受信するＨＤＭＩ ＲＸ部３０１と、内部データの読み出しを行い全体制御部３０３に通知するＨＤＭＩ ＲＸ Ｉ／Ｆ部３０２と、全体制御部からの指示により高画質化のための画像処理を行う画像処理部３０４と、画像表示を行うディスプレイ部１０５を有する。
【００１４】
図４に、画像処理部２１１、３０４の例を示す。高画質化の画像処理としては、画像圧縮により発生するモスキートノイズやブロックノイズを、またランダムに発生するランダムノイズ等の撮像系のノイズを除去する除去するノイズ除去部４０１、エッジ成分の強調や解像感の向上を行う超解像処理４０２と、画像のコントラストを調整するコントラスト調整部４０３と、映像のフレームレートを向上させるフレームレート変換部４０４を有する。
【００１５】
これらの処理は、機器の機能や値段設定によって適切な処理のみを備えればよく、全ての機能を備えなくてもよい。また、２Ｄの映像を３Ｄに信号処理で変換する処理を、フレームレート変換部の前段部か又は後段部に配置することで３Ｄの信号を生成することも可能である。
【００１６】
これらの画像処理は、複数の機器で重複して必要以上に処理を施してしまうと画質劣化を引き起こすという課題がある。これらに対応するために、ＨＤＭＩ規格で定義されているAVI InfoFrame（「Auxiliary Video information InfoFrame」の略。伝送する映像に関する情報が記載される領域。）の情報に画像処理を施したか否かの情報を付加し、それぞれの機器では、この情報を元に、処理が施されていない処理について処理を行うようにする。これにより、必要以上に画像処理を施すことを防止し、画質の劣化を抑える事ができる。この手法について具体的に説明する。
【００１７】
図５は、ＨＤＭＩ規格で定義されているAVI InfoFrameのビット定義に対して、画像処理の実行を示すフラグを付加する領域を加えたビット定義の一例（５０１）である。PB14(５０３)にVideo Image Enhancement Flags (lower 8bit)を定義する。PB15(５０４)にVideo Image Enhancement Flags (upper 8bit)を定義する。これらの定義については後述する。また、本ビットが有効化どうかのフラグをPB1(５０２)の7bit目にVとして定義する。本ビットが‘１’の場合には、PB14, PB15のフラグが有効であることを示す。本フラグ非対応の従来機器は、PB1（５０２）の７bit目は予約領域の為“０”が記述されているので本フラグ有効で無いと判断されるので、後方互換性に優れた記述方法である。
【００１８】
図６にPB14, 15に定義した‘Video Image Enhancement Flags(VIE)’の定義の一例を示す。それぞれの処理について、2bitずつの領域を設けて、処理の実行の有無とそれぞれの処理のレベルを設定できるようにしている。
【００１９】
超解像実行フラグとは、超解像処理が実行されたか否か、またその実行のレベルを示すフラグである。この際、超解像処理としては、１つのカテゴリとしているが、超解像処理としては、そのフレームのみの情報から作成する１枚型超解像や、周辺数フレームを用いて解像度を向上させる複数枚型の超解像がある。超解像の処理方法の違い毎に、実行有無や処理レベルを定義しても良い。この処理ごとのカテゴリ分けについては、他の名前の欄に定義されている処理についても同様である。
【００２０】
デジタル圧縮ノイズ除去フラグとは、画像圧縮で発生するノイズであるブロックノイズとモスキートノイズが除去されたから否か、またその実行のレベルを示すフラグである。除去方法として、フィルタリングで除去する方法や、画像圧縮前の現画像を予測し補間する方式や、対象画面１面で実行する方法や、複数フレームを用いて実行する方法があるが、それらの方法ごとにカテゴリを分けてもよい。
【００２１】
画像ノイズ除去フラグとは、撮像系で発生したランダムのノイズの除去を行ったか否か、またその実行のレベルを示すフラグである。画像ノイズ除去の処理としては、１枚の画面内で処理するやり方、複数枚を用いて除去する方法等があるが、それらの方法ごとにカテゴリを分けてもよい。
【００２２】
コントラスト補正フラグとは、画像のコントラストや、カラーマネージメント、γの調整等の画像の見栄えを調整する処理を行ったか否か、またその実行のレベルを示すフラグであり、それらの処理ごとにカテゴリを分けてもよい。
【００２３】
フレームレート変換実行フラグとは、フレームレート変換が実行されたか否か、または実行のレベルを示すフラグである。フレームレート変換の方法でカテゴリを分けてもよい。また、フレームレート向上のために補間したフレームの枚数をレベル情報に記載するようにしても良い。
【００２４】
デジタル画像圧縮実行フラグとは、機器間の画像転送の際に、ある機器で、トランスコード等の画像圧縮伸張が施されたか否か、またその実行のレベルを示すフラグである。これは、例えば画像転送においてトランスコード等が行われた場合、再度の画像圧縮ノイズ除去や、超解像処理を適用する必要があるため規定されている。トランスコードの種類等によってカテゴリを分けてもよい。
【００２５】
２Ｄ−３Ｄ変換フラグは、信号処理により２Ｄ映像信号から３Ｄ映像信号に変換したか否かまたその実行のレベルを示すフラグである。このフラグは、例えば複数機器での多重の変換を防ぐことに用いられる。
【００２６】
また、これらの画像処理に必要な画像の情報として、例えば、転送されている画像の圧縮規格や、ビットレート、量子化値（GOPやフレームやフレームの数分割の平均や最大、最小）、動き情報、I/P/B-pictureなどのフレーム情報、圧縮時の画像サイズやフレームレート、出力画像の拡大率、コンテンツ情報（地デジやBDなどのソース元や、具体的な番組内容）、OＳＤが付加されているか等の情報についても加えることで、後段機器で画像処理を行う場合に有益情報となるので、それらをこのVIEに追加しても良い。
【００２７】
次に、このAVI InfoFrame情報の検出方法と、付加方法について説明する。外部からのビデオストリームを受信した機器からＨＤＭＩを用いて画像伝送する場合には、ＨＤＭＩ ＴＸ Ｉ／Ｆ部でAVI InfoFrameを付加し、画像を受信した機器では、ＨＤＭＩ ＲＸ Ｉ／Ｆ部でこのAVI InfoFrameを読み出し全体制御部に通知する。全体制御部では、必要な画像処理を選定して、画像処理部に通知して画像処理を施す。画像処理後の画像を、更にＨＤＭＩを用いて別機器に転送する場合には、ＨＤＭＩ ＴＸ Ｉ／Ｆ部でAVI InfoFrameの情報を、画像処理を行ったフラグは有効にして、作成してＨＤＭＩから伝送する。  これにより、接続機器間で過度の画像処理実行を防止することができ、高画質化を実現できる。
【００２８】
各画像処理のＯＮ／ＯＦＦについては、ユーザがその機器毎に機能のＯＮ／ＯＦＦ、強弱を選択するようにしてもよい。この際、接続した機器で重複した画像処理がある場合には、ユーザにテロップで画像処理機能の実行やレベルの変更を行う旨を通知し、ＯＫを選択してもらった上で、画像処理の実行を変更してもよい。
【００２９】
なお、本実施例ではAVI InfoFrameを用いた例を説明したが、これに限定されない。他のInfoFrameや他の付加情報を用いて画像処理に関する情報を伝送してもよい。例えば、HDMI Vendor Specific InfoFrameのPB6の後続領域に定義してもよい。
【実施例２】
【００３０】
実施例１では、ＨＤＭＩのAVI InfoFrameの領域を用いて画像処理の有無を通知したが、本実施例では、ディスプレイ基本情報や、最大解像度やなどの情報を含むＶＥＳＡ標準規格であるＥＤＩＤ（Extended Display IdentＩ／Ｆication Data）を用いて同様のフラグを転送する例について説明する。なお、AVI InfoFrameを用いる機能とＥＤＩＤを用いる機能はいずれか一方を有していてもよいし、両方の機能を有していてもよい。両方の機能に対応している場合は、接続相手がどちらか一方しか対応していない場合でも、本実施例の重複画像処理を避ける事ができる利点がある。
【００３１】
図７にＥＤＩＤを用いた機器Ａの構成の一例を示す。図１では、機器Ａとディスプレイ装置の画像伝送はＨＤＭＩであったが、本例では、ＨＤＭＩに限らずＤＶＩなどの他の画像伝送であってもよい。図７は、画像の出力が画像転送部７０１となり、また、ディスプレイ装置からＥＤＩＤを読み出し、制御部に信号を送信するＥＤＩＤ読出７０２を有する点で図２に示す構成と異なる。
【００３２】
図８にＥＤＩＤを用いたディスプレイ装置の構成の一例を示す。図８の構成は、画像の受信部を行う画像受信部８０１と、ディプレイの情報と画像処理の有無を追加したＥＤＩＤ信号を記憶し、ＥＤＩＤ読出に転送するＥＤＩＤ記録８０２を有する点で図３の構成と異なる。
【００３３】
図９にＥＤＩＤ情報のビット定義に、図６の画像処理の適用フラグを追加した際のビット定義９０１を示す。Byte6の2bit目にVideo Image Enhancement Flagsが存在するかのフラグ‘VIE’９０２を追加する。このフラグは、1の場合には、本ビット定義の後段にVideo Image Enhancement Flagsが存在することを示す。そして、定義の後段にVideo Image Enhancement Flags９０３を定義する。なお、VIEの定義は、実施例１と同様にすればよい。
【００３４】
この情報を元に、例えば機器Ａがディスプレイ装置のＥＤＩＤを読み出し、読み出したＥＤＩＤに基づいてディプレイ装置で行われる画像処理の内容を確認し、ディスプレイ装置で行われる画像処理を機器Ａでは行わないように構成する。また、例えばディスプレイ装置での実行レベルが低か中の場合には、ユーザ選択によって機器Ａで画像処理を行うか選択してもらっても良い。
【００３５】
これにより、EDIDの機構を用いて接続機器間で過度の画像処理実行を防止することができ、高画質化を実現できる。特に、既存でEDIDでの情報のやり取りを行っているシステムでは、新規なやり取りを追加することなく、高画質化を実現できる。
【００３６】
なお、本実施例ではＥＤＩＤのＶＩＥを用いた処理を説明したが、これに限定されない。ＥＤＩＤの他の領域や、ディスプレイ装置の能力を伝送する他の情報を用いて画像処理に関する情報を伝送してもよい。
【実施例３】
【００３７】
本実施例では、ＨＤＭＩが有する双方向通信制御機能であるＣＥＣ（Consumer Electronics Control）の情報を用いて、情報のやり取りを行う方法の一例を説明する。      
図１１は、ＣＥＣ通信の機構を追加した機器Ａの構成の一例を示す図である。ＨＤＭＩで接続された他機器と通信を行うＣＥＣ通信部１１０１を追加する。
【００３８】
図１２は、ＣＥＣ通信の機構を追加したディスプレイ装置の構成の一例を示す図である。ＨＤＭＩで接続された他機器と通信を行うＣＥＣ通信部１２０１と、ユーザからのリモコン操作を受信し、制御部に通知するリモコン受信部１２０２を追加する。
【００３９】
図１３にＣＥＣ通信の一例を示すフローチャートを示す。電源立ち上げ時や、ユーザがリモコンを解して、ディスプレイ装置の入力切替えを行い（Ｓ１３０１）、機器Ａと接続との接続となる場合に、機器Ａに対して画像処理機能の設置値を通知する要求（Ｓ１３０２）を発行し、機器Ａから設定値を取得して（Ｓ１３０３、１３０４）、機器Ａで行っていない画像処理機能をディスプレイ装置で行う。また、例えば機器Ａでの実行レベルが低か中の場合には、ユーザ選択によってディスプレイ装置で画像処理を行うか選択してもらっても良い。
【００４０】
図１３の下部にそれぞれの要求信号の定義を示す。Mode value reqは、1bitで画像処理設定値の転送要求を示し、Mode valueは、実際の画像処理機能設定値の値となる。Mode valueの具体的なビット定義は図６と同様である。
【００４１】
この画像処理設定値は、機器Ａで再生中に、ユーザが機器Ａを操作して、設定値を変更することが考えられる。その場合には、機器Ａから設定変更結果通知を行い、設定値の変更を行うようにしてもよい。
【００４２】
図１４に、その場合のフローについて示す。ディスプレイ装置は、機器Ａからモードが変わったことが通知（Ｓ１４０１）された場合には、上記同様に機器Ａに設定値通知要求を出し、設定値を取得して実際に画像処理機能の設定値とする。
【００４３】
これにより、CECの機構を用いて接続機器間で過度の画像処理実行を防止することができ、高画質化を実現できる。特に、既存でCECでの情報のやり取りを行っているシステムでは、新規なやり取りを追加することなく、高画質化を実現できる。なお、ＣＥＣを用いた実施例に、さらに実施例１のAVI InfoFrameの領域や、実施例２のＥＤＩＤの活用を併用してもよい。併用することにより、いずれかの実施例で説明した機能を有する機器と接続して、重複した画像処理機能を避けることができる。また、いずれの機能にも対応している場合は、双方向でリアルタイムに情報交換できる本実施例のＣＥＣの機構を優先して使うようにしてもよい。ＣＥＣを用いた処理を優先させることで、より確実な動作が期待できる。
【実施例４】
【００４４】
実施例１から３では、VIE情報の転送方法について示した。本実施例では、それらが転送できる環境において、ユーザが自由に複数機器間での画像処理実行の決定をできる仕組みについて説明する。近年、レコーダやテレビなどでは同機能の画像処理機能を有している場合が多いが、これらのＯＮ／ＯＦＦはそれぞれの機器で行う必要があり面倒であるという課題がある。
【００４５】
この課題を解決するために、ひとつの機器で複数の機器の画像処理機能を選択できる仕組みを提供する。これにより、ユーザが所望な機能を簡単に選択でき、使い勝手が向上するとともに、高画質化を実現する事ができる。
図１０に、ディスプレイ装置の表示画面の一例を示す。ディスプレイ１００１上に、本映像を視聴しているディスプレイ機器１００２を示す画像と、接続されている機器１００３を示す画像とを表示する。この際に、両者の機器名、メーカ名と型番を情報が取得できた場合には表示するようにしてもよい。
【００４６】
そして、両者がどのＩ／Ｆを介して接続されているかを図示する。そして、それぞれの機器の横に、それぞれが有している画像処理の機能を表示し（1004、1005）、それらの機能のＯＮ／ＯＦＦや、レベル情報を示す。また、視聴の有無や再生ソースがどの媒体から読み出されているかを示してもよい。ユーザは、例えばリモコンなどを介して、カーソル１００５を動かして、画像処理のＯＮ／ＯＦＦやレベルを選択する。
【００４７】
図１５に、ＣＥＣ通信を用いた処理の一例を示す。ユーザがリモコンで、画像処理の機能や設定値を変更するためのボタンを押すと処理開始(１５００、１５０１)し、まずは、ディスプレイ装置と接続している機器のそれぞれ有している画像処理機能の調査を行う（Ｓ１５０２）。そして、次に、その画像処理機能の設定値を調査する（Ｓ１５０３）。そして、その調査結果を基に、ディスプレイに画像処理機能とその設定値を表示する（Ｓ１５０４）。
【００４８】
そして、ユーザがリモコンを解して、その設定値を変更した場合（Ｓ１５０５の「値の修正」の場合）には、その修正値を機器Ａに通知し（Ｓ１５０７）、機器Ａでの画像処理設定値を変更し（Ｓ１５０８）、再度、機器Ａの設定値を確認して画面に反映する。
【００４９】
ユーザがリモコンで終了を選択（Ｓ１５０５で「終了」の場合）すると、本処理は終了（Ｓ１５０６）となる。
【００５０】
この処理について、図１６を用いてさらに説明する。ユーザがリモコンで設定ボタンを押すと（Ｓ１６０１）、ディスプレイ装置は、接続している機器の画像処理機能と設定値の調査を行い（Ｓ１６０２）、接続している機器から画像処理機能と設定値に関する情報を取得し（Ｓ１６０３、１６０４）画面に表示する。そして、ユーザが値を変更した場合には、機器に通知（Ｓ１６０５）し、変更後の設定値を機器から取得（Ｓ１６０６，１６０７）するとともに、画面の値も変更（Ｓ１６０８）する。
【００５１】
その後、ユーザが設定画面で設定値を変更した場合（Ｓ１６０９）には、ディスプレイ装置から対象の装置に‘change mode’  のコマンドが発行され（Ｓ１６１０）、設定の変更値が通知される。対象の機器では、設定の変更を行う。ディスプレイ装置は、再度設定値の調査を行い（Ｓ１６１１）、調査の結果をディスプレイ装置に転送し（Ｓ１６１２，Ｓ１６１３）、ディスプレイ装置で画像処理所有機能、設定状況表示（Ｓ１６１４）を行う。
【００５２】
なお、change modeのコマンドの設定値変更については、設定変更のＯＫ、ＮＧを受け取るＩ／Ｆを追加しても良い。
【００５３】
図１７にこの操作に必要な機器間通信のビット定義について示す。”has mode”と”mode change”については、図６に示す定義に従う。”has mode”は、例えば、所有している機能を実行レベル３として通知することで所有モードの提示を行う。
【００５４】
これにより、ユーザが所望な機能を簡単に選択でき、使い勝手が向上するとともに、高画質化を実現する事ができる。
【符号の説明】
【００５５】
１０１…機器Ａ  １０２…ディスプレイ装置  １０３…画像処理部  １０４…画像処理部  １０５…ディスプレイ部
【図１】
2012065057.tif 000003
【図２】
2012065057.tif 000004
【図３】
2012065057.tif 000005
【図４】
2012065057.tif 000006
【図５】
2012065057.tif 000007
【図６】
2012065057.tif 000008
【図７】
2012065057.tif 000009
【図８】
2012065057.tif 000010
【図９】
2012065057.tif 000011
【図１０】
2012065057.tif 000012
【図１１】
2012065057.tif 000013
【図１２】
2012065057.tif 000014
【図１３】
2012065057.tif 000015
【図１４】
2012065057.tif 000016
【図１５】
2012065057.tif 000017
【図１６】
2012065057.tif 000018
【図１７】
2012065057.tif 000019